(57)【要約】【課題】シェルのハウジング等への固定手段としてかしめ手法を採用せずに、電磁障害対策性能が良好なコネクタを提供する。【解決手段】シェルは、コンタクトの接触部側を被覆するフロントシェル６と、コンタクトの端子部側を被覆するバックシェル７とから構成される。ハウジング２は、一対のアースラグ５を収容する一対の収容部２ｂを有する。バックシェルがコネクタ１の嵌合方向と交差する矢印方向からハウジングに組み込まれた後、フロントシェルがコネクタの嵌合方向からハウジングに組み込まれて固定される。この固定によって、バックシェルがハウジングに固定され、かつ、バックシェルがフロントシェルと各アースラグとにより挟持され、バックシェルはフロントシェルと各アースラグとの両方と接続する。【選択図】      図２
2004349135.tif 000002
【特許請求の範囲】
【請求項１】
接触部と端子部とを備えるコンタクトと、前記コンタクトを保持するハウジングと、前記コンタクトと前記ハウジングとを被覆するシェルと、基板のグラウンドと接続する接続部材とを有するコネクタにおいて、
前記シェルは、前記コンタクトの接触部側を被覆する第１のシェルと、前記コンタクトの端子部側を被覆する第２のシェルとから構成され、
前記ハウジングは、前記接続部材を収容する収容部を有し、
前記第２のシェルが前記コネクタの嵌合方向と交差する方向から前記ハウジングに組み込まれた後、前記第１のシェルが前記コネクタの嵌合方向から前記ハウジングに組み込まれて固定されることによって、
前記第２のシェルが前記ハウジングに固定され、かつ、前記第２のシェルが前記第１のシェルと前記接続部材とにより挟持され、前記第２のシェルは前記第１のシェルと前記接続部材との両方と接続することを特徴とするコネクタ。
【請求項２】
前記端子部を整列させるロケーションプレートを更に有し、前記ロケーションプレートは前記第１のシェルを保持することを特徴とする請求項１記載のコネクタ。
【請求項３】
前記第１のシェルと前記第２のシェルはそれぞれ前記基板のグラウンドと接続する少なくとも１つの端子部を有し、前記第２のシェルの端子部は前記接続部材の端子部が接続される前記基板の接続部と同一箇所に接続されることを特徴とする請求項１記載のコネクタ。
【発明の詳細な説明】
【０００１】
【発明の属する技術分野】
本発明は、電磁障害（ＥＭＩ）対策のために、シェルにより被覆されることによってシールド機能を営むコネクタに関し、高速の電気信号を伝送する諸電子機器（デスクトップパソコン、ノートパソコン、モニタ、プロジェクタ等）に使用される。
【０００２】
【従来の技術】
従来のコネクタについて図５〜図７を参照して説明する。
【０００３】
図５（Ａ）はコネクタ６１（ただし、バックシェルは取り付けられていない。）の前面側上方から見た斜視図、図５（Ｂ）はコネクタ６１の前面側下方から見た斜視図、図５（Ｃ）はコネクタ６１の後面側上方から見た斜視図を、それぞれ示す。
【０００４】
ハウジング６２の突出成形部６２ａには、各コンタクト６３の一端側の接触部（図示せず）が８列３段に保持されている。ハウジング６２の後面側では、各コンタクト６３が略Ｌ字形状に折曲され、各コンタクト６３の他端側の端子部付近はロケーションプレート６４によって整列されている。ハウジング６２の前面側は、フロントシェル６５によって被覆され、フロントシェル６５は、ハウジング６２の上面とハウジング６２の下面及びロケーションプレート６４の下面とにかしめ構造によって固定されている（詳細は後述する。）。
【０００５】
図６（Ａ）はコネクタ６１（ただし、バックシェルは取り付けられていない。）の前面側上方から見た斜視図（ただし、右側は断面図）、図６（Ｂ）は前記断面図の拡大図、図６（Ｃ）は図６（Ａ）を右側から見た拡大側面図を、それぞれ示す。
【０００６】
ハウジング６２の溝６２ａには、ロケーションプレート６４の突出部６４ａが挿入され、ハウジング６２のフック６２ｂはロケーションプレート６４のフック６４ｂと係合している。このような構造によって、ロケーションプレート６４は、ハウジング６２に固定される。フロントシェル６５の上端突出部６５ａはハウジング６２の上面６２ｃにかしめられ、また、フロントシェル６５の下端突出部６５ｂはハウジング６２の下面６２ｄとロケーションプレート６４の下面６４ｃにかしめられている。
【０００７】
図７（Ａ）はコネクタ６１の前面側上方から見た斜視図、図７（Ｂ）はコネクタ６１の前面側下方から見た斜視図を、それぞれ示す。
【０００８】
ハウジング６２の後面側はバックシェル６６によって被覆され、バックシェル６６の左右両側面の下端突出部６６ａはハウジング６２の下面の左右両側付近にかしめられている。
【０００９】
なお、コネクタ本体をシェルによって被覆することは、本出願前に頒布された刊行物に記載されている（例えば、特許文献１参照。）。
【００１０】
また、コネクタにおいて、ハウジングとハウジングに保持されるコンタクト等を、フロントシェルとバックシェルによって被覆することも、本出願前に頒布された刊行物に記載されている（例えば、特許文献２参照。）。
【００１１】
【特許文献１】
特開平７−１９２８１３号公報（第３頁第３欄第１６行−第４欄第３４行、図１−４）
【００１２】
【特許文献２】
特開２００２−２３１３９１号公報（第３頁第３欄第１５行−第２８行、図１）
【００１３】
【発明が解決しようとする課題】
パソコンやモニタ等の伝送方式のデジタル化及び高画質化に伴い、高周波信号の伝送が要求されている。高周波信号では、伝送信号の特性と、各回路に誤作動を生じさせないための電磁障害対策がシステム上重要である。現状においては、航空機用機器やペースメーカ等の医療機器に誤作動を生じさせないためのノイズ対策は必須事項であり、ノイズの発生要因の一つであるコネクタでも、電磁障害対策は重要である。
【００１４】
また、前記従来のコネクタでは、フロントシェルはハウジングとロケーションプレートにかしめられ、また、バックシェルはハウジングにかしめられている。したがって、両シェルの固定手段として、かしめ治具を必要とし、更に、かしめ作業も必要とする。この結果、コネクタの組立分解が煩雑であり、また、コストが高価にならざるを得ない。
【００１５】
そこで、本発明は、前記従来のコネクタの欠点を改良し、シェルのハウジング等への固定手段としてかしめ手法を採用せずに、電磁障害対策性能が良好なコネクタを提供しようとするものである。
【００１６】
【課題を解決するための手段】
本発明は、前記課題を解決するため、次の手段を採用する。
【００１７】
１．接触部と端子部とを備えるコンタクトと、前記コンタクトを保持するハウジングと、前記コンタクトと前記ハウジングとを被覆するシェルと、基板のグラウンドと接続する接続部材とを有するコネクタにおいて、前記シェルは、前記コンタクトの接触部側を被覆する第１のシェルと、前記コンタクトの端子部側を被覆する第２のシェルとから構成され、前記ハウジングは、前記接続部材を収容する収容部を有し、前記第２のシェルが前記コネクタの嵌合方向と交差する方向から前記ハウジングに組み込まれた後、前記第１のシェルが前記コネクタの嵌合方向から前記ハウジングに組み込まれて固定されることによって、前記第２のシェルが前記ハウジングに固定され、かつ、前記第２のシェルが前記第１のシェルと前記接続部材とにより挟持され、前記第２のシェルは前記第１のシェルと前記接続部材との両方と接続するコネクタ。
【００１８】
２．前記端子部を整列させるロケーションプレートを更に有し、前記ロケーションプレートは前記第１のシェルを保持する前記１記載のコネクタ。
【００１９】
３．前記第１のシェルと前記第２のシェルはそれぞれ前記基板のグラウンドと接続する少なくとも１つの端子部を有し、前記第２のシェルの端子部は前記接続部材の端子部が接続される前記基板の接続部と同一箇所に接続される前記１記載のコネクタ。
【００２０】
【発明の実施の形態】
本発明の一実施の形態例のコネクタについて図１〜図４を参照して説明する。
【００２１】
図１（Ａ）はコネクタ１の前面側から見た斜視図、図１（Ｂ）はコネクタ１の後面側から見た斜視図（ただし、バックシェルは取り付けられていない。）を、それぞれ示す。
【００２２】
ハウジング２の突出成形部２ａには、各コンタクト３の一端側の接触部（図示せず）が８列３段に保持されている。ハウジング２の後面側では、各コンタクト３が略Ｌ字形状に折曲され、各コンタクト３の他端側の端子部付近はロケーションプレート４によって整列されている。ハウジング２の左右両側の後下部には、アースラグ５が設けられている。ハウジング２の前面側はフロントシェル６によって被覆され、ハウジング２の後面側はバックシェル７によって被覆されている。フロントシェル６とバックシェル７のハウジング２に対する固定構造については後述する。
【００２３】
図２（Ａ）〜（Ｃ）は、フロントシェル６とバックシェル７のハウジング２への組み込み工程を示す斜視図である。
【００２４】
まず、（Ａ）に示されるように、一対のアースラグ５をハウジング２の左右両側に設けられた収容部２ｂに、それぞれ矢印方向に組み込む。各アースラグ５には、上部にめねじ５ａ、下部に略Ｌ字形状の端子部５ｂが、それぞれ設けられている。各端子部５ｂは、基板（図示せず）のグラウンドと接続する。
【００２５】
次に、（Ｂ）に示されるように、バックシェル７をハウジング２に矢印方向に組み込む。バックシェル７の左右両側面部７ａの前方縁には、両側面部７ａ部に直交する方向に正方形状板７ｂが形成され、各正方形状板７ｂに丸穴７ｂ１が設けられている。
【００２６】
続いて、（Ｃ）に示されるように、フロントシェル６をハウジング２とバックシェル７に矢印方向に組み込む。フロントシェル６の前面平坦部６ａの左右両側に丸穴６ａ１が設けられている。
【００２７】
コネクタ１のパネル（図示せず）への取り付けは、次のように行われる。まず、パネルに設けられた穴からフロントシェル６の被覆部６ｂによって被覆されたハウジング２の突出成形部２ａを突出させる。次に、パネルの前面から一対のねじ（図示せず）をパネルに設けられた各穴と各丸穴６ａ１と各丸穴７ｂ１を貫通して各めねじ５ａにねじ込むことによって、パネルとハウジング２とフロントシェル６とバックシェル７と各アースラグ５とは、一体に固定される。
【００２８】
ハウジング２、フロントシェル６、バックシェル７、アースラグ５及びロケーションプレート４の関連構造について図３と図４を参照して説明する。
【００２９】
図３（Ａ）はコネクタ１の前面側から見た斜視図（ただし、右側は断面図）、図３（Ｂ）は前記断面図の拡大図、図４（Ａ）はコネクタ１の前面側から見た斜視図（ただし、右側は他の断面図）、図４（Ｂ）は前記他の断面図の拡大図、図４（Ｃ）は図４（Ａ）を右側から見た拡大側面図を、それぞれ示す。
【００３０】
フロントシェル６は、前面平坦部６ａと、前面平坦部６ａの中央に位置し、ハウジング２の突出成形部２ａを被覆する被覆部６ｂと、前面平坦部６ａの上縁左右両側に前面平坦部６ａに直交する後方向へ形成されたハウジング２との係合部６ｃと、前面平坦部６ａの上縁中央に前面平坦部６ａに直交する後方向へ形成されたバックシェル７との接触部６ｄと、前面平坦部６ａの下縁左右両側に前面平坦部６ａに直交する後方向へ形成されたロケーションプレート４との係合部６ｅと、前面平坦部６ａの左右両側に形成された側面部６ｆとから一体に構成される。
【００３１】
各側面部６ｆの下縁左右両側には、端子部６ｆ１が設けられ、各端子部６ｆ１は、基板のグラウンドと接続する。
【００３２】
バックシェル７は、左右両側面部７ａと、左右両側面部７ａの前方縁に直交する方向に形成された正方形状板７ｂと、フロントシェル６の接触部６ｄと接触する上平面部７ｃと、ハウジング２、各コンタクト３及びロケーションプレート４の後面側を被覆する後平面部７ｄとから一体に構成される。後平面部７ｄの下縁左右両側には、端子部７ｄ１が設けられ、各端子部７ｄ１は、基板のグラウンドと接続する。
【００３３】
バックシェル７の各端子部７ｄ１が接続される基板の接続部（スルーホール、パッド等）と、各アースラグ５の端子部５ｂが接続される基板の接続部とを同一箇所に設けると、基板はコンパクトとなり、また、コネクタ１の構造は簡素となる。
【００３４】
フロントシェル６の各係合部６ｃはハウジング２の上面部に設けられた各係合部２ｃと係合し、接触部６ｄはバックシェル７の上平面部７ｃと接触し、各係合部６ｅはロケーションプレート４の下面左右両側に設けられた各突出部４ｃと係合する。
【００３５】
ハウジング２の溝２ｄには、ロケーションプレート４の突出部４ａが挿入され、ハウジング２のフック２ｅはロケーションプレート４のフック４ｂと係合している。
【００３６】
本実施の形態例の構造では、グラウンドと接続されたパネルとねじにより固定されたフロントシェルの上部及びコネクタ左右両側でアースラグとフロントシェルにバックシェルが挟まれ、上左右の３面でフロントシェルとバックシェルが接触している。これにより、グラウンド電流がコネクタを均等に覆い、グラウンド層に隙間がないシールド効果が得られ、コネクタ内部で発生したノイズが外部に漏洩することを防ぐことができる。
【００３７】
ノイズ発生要因の１つである信号の反射は、フロントシェル及びバックシェルに基板に実装できる端子部が設けてあり、基板のグラウンドと接続し、パネル→コネクタ→基板→パネルのループ構造となり、防ぐことができる。
【００３８】
バックシェルとアースラグがパネル取り付け面と基板の同一スルーホールで接続することで、バックシェルとアースラグでループ構造となり、信号の反射を防ぎ、グラウンド信号が流れ易いシールド構造が得られる。
【００３９】
本発明では、グラウンド化したシェルによるコネクタのカバーとシェルのループ構造により、シールド効果が得られたＥＭＩ対策に適した画像用インターフェース用コネクタを提供することができる。
【００４０】
【発明の効果】
以上の説明から明らかなように、本発明によれば、次の効果が、奏される。
【００４１】
１．第１のシェルと第２のシェルのハウジングへの固定手段として、かしめ手法を採用しないので、かしめ治具とかしめ作業が不要となる。したがって、コネクタの組立分解を簡易に行うことができ、また、コストが安価である。
【００４２】
２．第２のシェルが第１のシェルと接続部材とにより挟持され、第２のシェルは第１のシェルと接続部材との両方と接続するから、グラウンドが十分に行われるので、電磁障害対策性能が向上する。
【００４３】
３．コネクタの構造が簡素であるので、製作が容易である。
【図面の簡単な説明】
【図１】本発明の一実施の形態例のコネクタの斜視図であり、（Ａ）は前面側から見たもの、（Ｂ）は後面側から見たもの（ただし、バックシェルは取り付けられていない。）を、それぞれ示す。
【図２】同コネクタにおけるフロントシェルとバックシェルのハウジングへの組み込み工程の斜視図を、順次（Ａ）〜（Ｃ）に示す。
【図３】（Ａ）は同コネクタの要部を前面側から見た斜視図（ただし、右側は断面図）、（Ｂ）は前記断面図の拡大図を、それぞれ示す。
【図４】同コネクタの要部の諸図であり、（Ａ）は同コネクタの前面側から見た斜視図（ただし、右側は他の断面図）、（Ｂ）は前記他の断面図の拡大図、（Ｃ）は（Ａ）を右側から見た拡大側面図を、それぞれ示す。
【図５】従来のコネクタ（ただし、バックシェルは取り付けられていない。）の諸斜視図であり、（Ａ）は同コネクタの前面側上方から見たもの、（Ｂ）は同コネクタの前面側下方から見たもの、（Ｃ）は同コネクタの後面側上方から見たものを、それぞれ示す。
【図６】同コネクタ（ただし、バックシェルは取り付けられていない。）の要部の諸図であり、（Ａ）は同コネクタの前面側上方から見た斜視図（ただし、右側は断面図）、（Ｂ）は前記断面図の拡大図、（Ｃ）は（Ａ）を右側から見た拡大側面図を、それぞれ示す。
【図７】同コネクタの前面側から見た斜視図であり、（Ａ）は上方から見たもの、（Ｂ）は下方から見たものを、それぞれ示す。
【符号の説明】
１  コネクタ
２    ハウジング
２ａ    突出成形部
２ｂ    収容部
２ｃ    係合部
２ｄ    溝
２ｅ    フック
３    コンタクト
４    ロケーションプレート
４ａ    突出部
４ｂ    フック
４ｃ    突出部
５    アースラグ
５ａ    めねじ
５ｂ    端子部
６    フロントシェル
６ａ    前面平坦部
６ａ１    丸穴
６ｂ    被覆部
６ｃ    係合部
６ｄ    接触部
６ｅ    係合部
６ｆ    側面部
６ｆ１    端子部
７    バックシェル
７ａ    側面部
７ｂ    正方形状板
７ｂ１    丸穴
７ｃ    上平面部
７ｄ    後平面部
７ｄ１    端子部
【図１】
2004349135.tif 000003
【図２】
2004349135.tif 000004
【図３】
2004349135.tif 000005
【図４】
2004349135.tif 000006
【図５】
2004349135.tif 000007
【図６】
2004349135.tif 000008
【図７】
2004349135.tif 000009